(57)【要約】【課題】  瓶や缶などの放置する品物の落下を防止できる物置棚の仕切り板構造を提供する。【解決手段】  物置棚の両側には支持枠２が設けてあり、前記支持枠２には複数の水平ロッド３が設けてあり、且つ前記支持枠２の両側には仕切り板が取付けてある物置棚の仕切り板構造において、前記仕切り板は外仕切り板と内仕切り板５とを有し、前記外仕切り板は上端と、中央と、底端とにコ型溝６が別々に設けてあり、前記外仕切り板のコ型溝６が前記支持枠２の水平ロッド３に係止し定位され、また、前記内仕切り板５はその上端にほぼ√型を呈する係止鉤が形成され、その底端にはＬ型を呈する鉤が形成され、前記内仕切り板５の係止鉤が傾斜して支持枠２に挿入され、且つ前記内仕切り板５の鉤が支持枠２内に挿入される。【選択図】  図７
0003104520.tif 000002
【実用新案登録請求の範囲】
【請求項１】
物置棚の両側には支持枠が設けられ、前記支持枠には複数の水平ロッドが設けられ、且つ前記支持枠の両側には仕切り板が取付けられている物置棚の仕切り板構造において、
前記仕切り板は外仕切り板と内仕切り板とを有し、前記外仕切り板は上端と、中央と、底端とにコ型溝が別々に設けられ、前記外仕切り板のコ型溝が前記支持枠の水平ロッドに係止し定位され、前記内仕切り板はその上端に階段状を呈する係止鉤が形成され、その底端にはＬ型を呈する鉤が形成され、前記内仕切り板の係止鉤が傾斜して支持枠に挿入され、且つ前記内仕切り板の鉤が支持枠内に挿入されることを特徴とする物置棚の仕切り板構造。
【請求項２】
前記内仕切り板はネジによって螺着されることを特徴とする請求項１に記載の物置棚の仕切り板構造。
【考案の詳細な説明】
【技術分野】
【０００１】
本考案は、物置棚に関し、特に放置する品物の落下を防止するために、物置棚の両側にある支持枠の内外に取付けられる物置棚の仕切り板構造に関するものである。
【背景技術】
【０００２】
一般の物置棚は、その両側に支持枠が設けてあり、前記支持枠には複数の水平ロッドが設けてあり、且つ二つの支持枠の間には複数の物置板が設けてあるが、このような物置棚の両側の支持枠は開放式な設計であるため、外力を受けると、瓶や缶などが揺れて落下する恐れがある。
【考案の開示】
【考案が解決しようとする課題】
【０００３】
本考案の目的は、瓶や缶などの放置する品物の落下を防止できる物置棚の仕切り板構造を提供することにある。
【課題を解決するための手段】
【０００４】
上記目的を達成するためになされた本考案に係る物置棚の仕切り板構造は、物置棚の両側には支持枠が設けてあり、前記支持枠には複数の水平ロッドが設けてあり、且つ前記支持枠の両側には仕切り板が取付けてある物置棚の仕切り板構造において、前記仕切り板は外仕切り板と内仕切り板とを有し、前記外仕切り板は上端と、中央と、底端とにコ型溝が別々に設けてあり、前記外仕切り板のコ型溝が前記支持枠の水平ロッドに係止し定位され、前記内仕切り板はその上端に階段状を呈する係止鉤が形成され、その底端にはＬ型を呈する鉤が形成され、前記内仕切り板の係止鉤が傾斜して支持枠に挿入され、且つ前記内仕切り板の鉤が支持枠内に挿入されることを特徴とする物置棚の仕切り板構造であることを要旨としている。
【０００５】
また、本考案に係る物置棚の仕切り板構造は、前記内仕切り板がネジによって螺着されることを特徴とする請求項１に記載の物置棚の仕切り板構造であることを要旨としている。
本考案に係る物置棚の仕切り板構造によれば、瓶や缶などの放置する品物の落下を防止することができる。
【考案を実施するための最良の形態】
【０００６】
以下、添付図面を参照して本考案の好適な実施の形態を詳細に説明する。
図３は本考案の一実施例による物置棚の仕切り板構造の外仕切り板を組立てた状態を示す斜視図であり、図７は本考案の一実施例による物置棚の仕切り板構造の内仕切り板を組立てた状態を示す斜視図である。
【０００７】
本考案の一実施例に係る物置棚の仕切り板構造は、物置棚１の両側には支持枠２が設けてあり、前記支持枠２には複数の水平ロッド３が設けてあり、且つ前記支持枠２の両側には仕切り板が取付けてある物置棚の仕切り板構造において、前記仕切り板は外仕切り板４と内仕切り板５とを有し、図３に示すように、前記外仕切り板４は上端と、中央と、底端とにコ型溝６が別々に設けてあり、前記外仕切り板４のコ型溝６が前記支持枠２の水平ロッド３に係止し定位され、また図７に示すように、前記内仕切り板５はその上端に階段状、即ちほぼ√型を呈する係止鉤７が形成され、その底端にはＬ型を呈する鉤８が形成され、前記内仕切り板５の係止鉤７が傾斜して支持枠２に挿入され、且つ前記内仕切り板５の鉤８が支持枠２内に挿入されることにより、瓶や缶などの放置する品物が物置棚から落下することを防止できる。
【０００８】
図１は本考案の一実施例による物置棚の仕切り板構造の外仕切り板の組立て方法を示す概略図であり、図１Ａは図１の一部の拡大図であり、図２は本考案の一実施例による物置棚の仕切り板構造の外仕切り板を組立てた状態を示す概略図であり、図２Ａは図２の一部の拡大図である。
【０００９】
本実施例に係る外仕切り板４は、図１と図１Ａとに示すように、その底端のコ型溝６を支持枠２の下の水平ロッド３に取付けて、その中央のコ型溝６を支持枠２の中央の水平ロッド３に取付けて、図２と図２Ａとに示すように、その上端のコ型溝６を支持枠２の上の水平ロッド３に取付けることにより、完全に物置棚１の支持枠２に係止し固定される。
【００１０】
図４は本考案の一実施例による物置棚の仕切り板構造の外仕切り板の他の組立状態を示す概略図である。
本実施例に係る外仕切り板４は、物置棚の支持枠の大きさによって適当な寸法に変更して取付けることができる。
【００１１】
図５は本考案の一実施例による物置棚の仕切り板構造の内仕切り板の係止鉤の組立て方法を示す概略図であり、図５Ａは図５の一部の拡大図であり、図５Ｂは図５における内仕切り板の組立て方法を示す断面図であり、図５Ｃは図５における内仕切り板の組立てた状態を示す断面図である。図６は本考案の一実施例による物置棚の仕切り板構造の内仕切り板の鉤の組立て方法を示す概略図であり、図６Ａは図６の一部の拡大図であり、図６Ｂは図６における内仕切り板の組立て方法を示す断面図であり、図６Ｃは図６における内仕切り板の組立てた状態を示す断面図である。
【００１２】
図５と図５Ａと図５Ｂとに示すように、内仕切り板５の上端にある係止鉤７を傾斜させてコ型溝６の水平ロッド３の下に挿入し、内仕切り板５の係止鉤７を上へ押えてコ型溝６内に係止することにより、内仕切り板の係止鉤が支持枠の内側に固定される。また、図６から図６Ｃに示すように、内仕切り板５の底端の鉤８を支持枠に取り付けると、図５Ｃに示すように、内仕切り板５が支持枠に固定される。
【図面の簡単な説明】
【００１３】
【図１】本考案の一実施例による物置棚の仕切り板構造の外仕切り板の組立て方法を示す概略図である。
【図１Ａ】図１の一部の拡大図である。
【図２】本考案の一実施例による物置棚の仕切り板構造の外仕切り板を組立てた状態を示す概略図である。
【図２Ａ】図２の一部の拡大図である。
【図３】本考案の一実施例による物置棚の仕切り板構造の外仕切り板を組立てた状態を示す斜視図である。
【図４】本考案の一実施例による物置棚の仕切り板構造の外仕切り板の他の組立状態を示す概略図である。
【図５】本考案の一実施例による物置棚の仕切り板構造の内仕切り板の係止鉤の組立て方法を示す概略図である。
【図５Ａ】図５の一部の拡大図である。
【図５Ｂ】本考案の一実施例による物置棚の仕切り板構造の内仕切り板の組立て方法を示す断面図である。
【図５Ｃ】本考案の一実施例による物置棚の仕切り板構造の内仕切り板を組立てた状態を示す断面図である。
【図６】本考案の一実施例による物置棚の仕切り板構造の内仕切り板の鉤の組立て方法を示す概略図である。
【図６Ａ】図６の一部の拡大図である。
【図６Ｂ】本考案の一実施例による物置棚の仕切り板構造の内仕切り板の組立て方法を示す断面図である。
【図６Ｃ】本考案の一実施例による物置棚の仕切り板構造の内仕切り板を組立てた状態を示す断面図である。
【図７】本考案の一実施例による物置棚の仕切り板構造の内仕切り板を組立てた状態を示す斜視図である。
【符号の説明】
【００１４】
１  物置棚、２  支持枠、３  水平ロッド、４  外仕切り板、５  内仕切り板、６  コ型溝、７  係止鉤、８  鉤
【図１】
0003104520.tif 000003
【図１Ａ】
0003104520.tif 000004
【図２】
0003104520.tif 000005
【図２Ａ】
0003104520.tif 000006
【図３】
0003104520.tif 000007
【図４】
0003104520.tif 000008
【図５】
0003104520.tif 000009
【図５Ａ】
0003104520.tif 000010
【図５Ｂ】
0003104520.tif 000011
【図５Ｃ】
0003104520.tif 000012
【図６】
0003104520.tif 000013
【図６Ａ】
0003104520.tif 000014
【図６Ｂ】
0003104520.tif 000015
【図６Ｃ】
0003104520.tif 000016
【図７】
0003104520.tif 000017